(57)【要約】  【課題】専用の中継装置を設けなくても、また無線端末にＧＰＳ機能が搭載されていなくても、プレゼンス情報を更新できる技術を提供する。  【解決手段】無線端末１−１〜１−３は、自無線端末に記憶されているユーザのスケジュール情報に従って、自無線端末のユーザのプレゼンス情報を更新した場合に、自無線端末の近距離無線通信エリア８−１〜８−３に位置する他の無線端末各々に対して、近距離無線通信により更新後のプレゼンス情報を送信する。また、無線端末１−１〜１−３は、近距離無線通信を介して他の無線端末からプレゼンス情報を受信したならば、自無線端末１−１〜１−３のユーザのプレゼンス情報を、この他の無線端末から受信したプレゼンス情報に更新する。さらに、無線端末１−１〜１−３は、自無線端末のユーザのプレゼンス情報を更新したならば、無線ＡＰ３を介してプレゼンスサーバ２に、更新後のプレゼンス情報を送信する。【選択図】図１
2014179804.tif 000002
【特許請求の範囲】
【請求項１】
プレゼンス情報の管理機能を備えた無線端末であって、
無線基地局を介してプレゼンスサーバと通信するための無線通信手段と、
近距離無線通信により他の無線端末と通信するための近距離無線通信手段と、
自無線端末のユーザのスケジュール情報を記憶するスケジュール情報記憶手段と、
前記スケジュール情報記憶手段に記憶されている自無線端末のユーザのスケジュール情報あるいは当該ユーザの指示に従い、自無線端末が管理している当該ユーザのプレゼンス情報を更新するプレゼンス情報更新手段と、
前記プレゼンス情報更新手段により自無線端末のユーザのスケジュール情報あるいは当該ユーザの指示に従って当該ユーザのプレゼンス情報が更新された場合に、前記近距離無線通信手段により、当該近距離無線通信手段の通信エリア内に位置する他の無線端末各々に対して更新後のプレゼンス情報を送信する第一のプレゼンス情報送信手段と、
前記プレゼンス情報更新手段により自無線端末のユーザのプレゼンス情報が更新された場合に、前記無線通信手段により前記プレゼンスサーバに対して更新後のプレゼンス情報を送信する第二のプレゼンス情報送信手段と、を有し、
前記プレゼンス情報更新手段は、
前記近距離無線通信手段により他の無線端末からプレゼンス情報を受信した場合に、前記スケジュール情報記憶手段に記憶されている自無線端末のユーザのスケジュール情報に関わらず、自無線端末が管理している自無線端末のユーザのプレゼンス情報を、前記他の無線端末から受信したプレゼンス情報に更新する
ことを特徴とする無線端末。
【請求項２】
請求項１に記載の無線端末であって、
前記プレゼンス情報更新手段は、
前記近距離無線通信手段により他の無線端末からプレゼンス情報を受信した場合において、当該他の無線端末のユーザの優先度あるいは当該受信したプレゼンス情報が示すプレゼンスの優先度が、自無線端末のユーザの優先度あるいは自無線端末が管理しているプレゼンス情報が示すプレゼンスの優先度より高い場合に、自無線端末が管理しているプレゼンス情報を、当該他の無線端末から受信したプレゼンス情報に更新する
ことを特徴とする無線端末。
【請求項３】
請求項１または２に記載の無線端末であって、
前記プレゼンス情報更新手段は、
自無線端末が管理している自無線端末のユーザのプレゼンス情報を、前記他の無線端末から受信したプレゼンス情報に更新した場合、当該他の無線端末が前記近距離無線通信手段の通信エリア内に位置しているか否かを監視し、当該他の無線端末が前記近距離無線通信手段の通信エリアから離脱したならば、自無線端末が管理している当該ユーザのプレゼンス情報を所定のプレゼンス情報に更新する
ことを特徴とする無線端末。
【請求項４】
プレゼンス情報の管理機能を備えた無線端末であって、
無線基地局を介してプレゼンスサーバと通信するための無線通信手段と、
近距離無線通信により他の無線端末と通信するための近距離無線通信手段と、
自無線端末のユーザのスケジュール情報を記憶するスケジュール情報記憶手段と、
前記スケジュール情報記憶手段に記憶されている自無線端末のユーザのスケジュール情報に従い、自無線端末が管理している当該ユーザのプレゼンス情報を更新するプレゼンス情報更新手段と、
前記プレゼンス情報更新手段により自無線端末のユーザのプレゼンス情報が更新された場合において、当該プレゼンス情報が自無線端末のユーザのスケジュール情報に含まれているイベントの開始時刻の到来によって更新されたならば、前記近距離無線通信手段により、当該近距離無線通信手段の通信エリア内に位置する他の無線端末各々に対して、当該イベントの開始時刻および終了時刻を含むイベント情報を送信するイベント情報送信手段と、
前記プレゼンス情報更新手段により自無線端末のユーザのプレゼンス情報が更新された場合に、前記無線通信手段により前記プレゼンスサーバに対して更新後のプレゼンス情報を送信するプレゼンス情報送信手段と、
前記近距離無線通信手段により他の無線端末からイベント情報を受信した場合に、当該イベント情報に従って、前記スケジュール情報記憶手段に記憶されている自無線端末のユーザのスケジュール情報を更新するスケジュール情報更新手段と、を有する
ことを特徴とする無線端末。
【請求項５】
請求項４に記載の無線端末であって、
前記スケジュール情報更新手段は、
前記近距離無線通信手段により他の無線端末からイベント情報を受信した場合において、当該他の無線端末のユーザの優先度あるいは当該受信したイベント情報が示すイベントの優先度が、自無線端末のユーザの優先度あるいは前記スケジュール情報記憶手段に記憶されている自無線端末のユーザのスケジュール情報に含まれている開催中のイベントの優先度より高い場合に、当該スケジュール情報を当該イベント情報に従って更新する
ことを特徴とする無線端末。
【請求項６】
請求項４または５に記載の無線端末であって、
前記プレゼンス情報更新手段は、
自無線端末が管理している自無線端末のユーザのスケジュール情報を、前記他の無線端末から受信したイベント情報に従って更新した場合、当該他の無線端末が前記近距離無線通信手段の通信エリア内に位置しているか否かを監視し、当該他の無線端末が前記近距離無線通信手段の通信エリアから離脱したならば、自無線端末が管理している当該ユーザのプレゼンス情報を所定のプレゼンス情報に更新する
ことを特徴とする無線端末。
【請求項７】
プレゼンス情報の管理機能を備えた無線端末によるプレゼンス情報更新方法であって、
前記無線端末は、
自無線端末に記憶されているスケジュール情報あるいは自無線端末のユーザの指示に従い、自無線端末のユーザのプレゼンス情報を更新した場合に、自無線端末の近距離無線通信エリア内に位置する他の無線端末各々に対して更新後のプレゼンス情報を送信し、
自無線端末の近距離無線通信エリア内に位置する他の無線端末からプレゼンス情報を受信した場合に、自無線端末のユーザのプレゼンス情報を、当該他の無線端末から受信したプレゼンス情報に更新し、
自無線端末のユーザのプレゼンス情報を更新した場合に、無線基地局を介してプレゼンスサーバに更新後のプレゼンス情報を送信する
ことを特徴とする無線端末によるプレゼンス情報更新方法。
【請求項８】
プレゼンス情報の管理機能を備えた無線端末によるプレゼンス情報更新方法であって、
前記無線端末は、
自無線端末に記憶されているスケジュール情報に従い、自無線端末のユーザのプレゼンス情報を更新した場合に、当該プレゼンス情報が、当該スケジュール情報に含まれているイベントの開始時刻の到来によって更新されたならば、当該イベントの開始時刻および終了時刻を含むイベント情報を、自無線端末の近距離無線通信エリア内に位置する他の無線端末各々に対して送信するとともに、プレゼンスサーバに更新後のプレゼンス情報を送信し、
自無線端末の近距離無線通信エリア内に位置する他の無線端末からイベント情報を受信した場合に、当該イベント情報に基づいて自無線端末のユーザのスケジュール情報を更新する
ことを特徴とする無線端末によるプレゼンス情報更新方法。
【発明の詳細な説明】
【技術分野】
【０００１】
本発明は、無線端末を用いてユーザのプレゼンス情報を更新する技術に関する。
【背景技術】
【０００２】
特許文献１には、ユーザの現在地を表す位置情報をプレゼンス情報として他のユーザに提示することができる通信サービスシステムが開示されている。この通信サービスシステムにおいて、低感度基地局等の端末位置情報取得システムは、携帯端末から発信される信号を、狭いゾーンに対応した低感度で検出すると、端末位置情報取得システムの設置位置を表す位置情報を、携帯端末のユーザのプレゼンス情報としてプレゼンスサーバに通知する。あるいは、携帯端末は、自身が備えるＧＰＳ機能により取得した現在地を表す位置情報を、携帯端末のユーザのプレゼンス情報としてプレゼンスサーバに通知する。これを受けて、プレゼンスサーバは、携帯端末のユーザのプレゼンス情報を、ネットワークを介して他の端末に通知する。
【先行技術文献】
【特許文献】
【０００３】
【特許文献１】特開２００４−３２８３０９号公報
【発明の概要】
【発明が解決しようとする課題】
【０００４】
しかしながら、特許文献１に記載の通信サービスシステムでは、自身の設置位置を表す位置情報を配下の携帯端末のユーザのプレゼンス情報としてプレゼンスサーバに通知する機能を有し、かつ狭いゾーンに対応する低感度基地局等の専用の中継装置（端末位置情報取得システム）が必要であり、その分コストがかかる。ここで、特許文献１に記載の通信サービスシステムにおいて、携帯端末が、ＧＰＳ機能により取得した現在地を表す位置情報を、携帯端末のユーザのプレゼンス情報としてプレゼンスサーバに通知する場合、専用の中継装置は不要である。しかし、この場合、ＧＰＳ機能が搭載されていない携帯端末を利用することができない。また、ユーザの行動は場所と一意に対応するわけではないため、位置情報をプレゼンス情報として管理しているだけでは、現在位置（部屋）で、ユーザが、会議中であるのか、休憩中であるのか、来客対応中であるのか等といった、ユーザのプレゼンスを正確に把握することはできない。
【０００５】
本発明は上記事情に鑑みてなされたものであり、その目的の一つは、専用の中継装置がなくても、また無線端末にＧＰＳ機能が搭載されていなくても、プレゼンス情報を更新できる技術を提供することにある。また、他の目的は、現在位置におけるユーザのプレゼンスをより正確に把握できる技術を提供することにある。
【課題を解決するための手段】
【０００６】
上記課題を解決するために、本発明では、近距離無線通信を用いて、近傍に位置する複数の無線端末間でプレゼンス情報を同期させる。
【０００７】
すなわち、本発明の第一の態様において、無線端末は、自無線端末に記憶されているスケジュール情報あるいは自無線端末のユーザの指示に従い、自無線端末のユーザのプレゼンス情報を更新した場合に、自無線端末の近距離無線通信エリア内に位置する他の無線端末各々に対して更新後のプレゼンス情報を送信する。また、無線端末は、自無線端末の近距離無線通信エリア内に位置する他の無線端末からプレゼンス情報を受信したならば、自無線端末のユーザのプレゼンス情報を、この他の無線端末から受信したプレゼンス情報に更新する。さらに、無線端末は、プレゼンスサーバに更新後のプレゼンス情報を送信する。
【０００８】
例えば、本発明の第一の態様は、
プレゼンス情報の管理機能を備えた無線端末であって、
無線基地局を介してプレゼンスサーバと通信するための無線通信手段と、
近距離無線通信により他の無線端末と通信するための近距離無線通信手段と、
自無線端末のユーザのスケジュール情報を記憶するスケジュール情報記憶手段と、
前記スケジュール情報記憶手段に記憶されている自無線端末のユーザのスケジュール情報あるいは当該ユーザの指示に従い、自無線端末が管理している当該ユーザのプレゼンス情報を更新するプレゼンス情報更新手段と、
前記プレゼンス情報更新手段により自無線端末のユーザのスケジュール情報あるいは当該ユーザの指示に従って当該ユーザのプレゼンス情報が更新された場合に、前記近距離無線通信手段により、当該近距離無線通信手段の通信エリア内に位置する他の無線端末各々に対して更新後のプレゼンス情報を送信する第一のプレゼンス情報送信手段と、
前記プレゼンス情報更新手段により自無線端末のユーザのプレゼンス情報が更新された場合に、前記無線通信手段により前記プレゼンスサーバに対して更新後のプレゼンス情報を送信する第二のプレゼンス情報送信手段と、を有し、
前記プレゼンス情報更新手段は、
前記近距離無線通信手段により他の無線端末からプレゼンス情報を受信した場合に、前記スケジュール情報記憶手段に記憶されている自無線端末のユーザのスケジュール情報に関わらず、自無線端末が管理している自無線端末のユーザのプレゼンス情報を、前記他の無線端末から受信したプレゼンス情報に更新する。
【０００９】
また、本発明の第二の態様において、無線端末は、自無線端末に記憶されているスケジュール情報に含まれているイベントの開始時刻の到来に従い、自無線端末のユーザのプレゼンス情報を更新した場合に、このイベントの開始時刻および終了時刻を含むイベント情報を、自無線端末の近距離無線通信エリア内に位置する他の無線端末各々に対して送信する。また、無線端末は、プレゼンスサーバに更新後のプレゼンス情報を送信する。さらに、無線端末は、近距離無線通信を介して他の無線端末からイベント情報を受信したならば、このイベント情報に基づいて自無線端末のユーザのスケジュール情報を更新する。
【００１０】
例えば、本発明の第二の態様は、
プレゼンス情報の管理機能を備えた無線端末であって、
無線基地局を介してプレゼンスサーバと通信するための無線通信手段と、
近距離無線通信により他の無線端末と通信するための近距離無線通信手段と、
自無線端末のユーザのスケジュール情報を記憶するスケジュール情報記憶手段と、
前記スケジュール情報記憶手段に記憶されている自無線端末のユーザのスケジュール情報に従い、自無線端末が管理している当該ユーザのプレゼンス情報を更新するプレゼンス情報更新手段と、
前記プレゼンス情報更新手段により自無線端末のユーザのプレゼンス情報が更新された場合において、当該プレゼンス情報が自無線端末のユーザのスケジュール情報に含まれているイベントの開始時刻の到来によって更新されたならば、前記近距離無線通信手段により、当該近距離無線通信手段の通信エリア内に位置する他の無線端末各々に対して、当該イベントの開始時刻および終了時刻を含むイベント情報を送信するイベント情報送信手段と、
前記プレゼンス情報更新手段により自無線端末のユーザのプレゼンス情報が更新された場合に、前記無線通信手段により前記プレゼンスサーバに対して更新後のプレゼンス情報を送信するプレゼンス情報送信手段と、
前記近距離無線通信手段により他の無線端末からイベント情報を受信した場合に、当該イベント情報に従って、前記スケジュール情報記憶手段に記憶されている自無線端末のユーザのスケジュール情報を更新するスケジュール情報更新手段と、を有する。
【発明の効果】
【００１１】
本発明によれば、いずれかの無線端末がスケジュール情報あるいはユーザの指示に従って自無線端末のユーザのプレゼンス情報を更新すると、この無線端末の近距離無線通信エリアに位置する他の無線端末各々のユーザのプレゼンス情報が、この更新されたプレゼンス情報に更新される。このように近傍に位置する無線端末間でプレゼンス情報の同期を図ることにより、専用の中継装置を設けなくても、また無線端末にＧＰＳ機能が搭載されていなくても、プレゼンス情報を更新することが可能となる。プレゼンス情報が位置情報に依存していないので、同じ位置（部屋等）でも異なる行動をとり得るユーザのプレゼンスをより正確に把握することが可能となる。
【図面の簡単な説明】
【００１２】
【図１】図１は、本発明の第一実施の形態に係る通信システムの概略構成図である。
【図２】図２は、本発明の第一実施の形態に係る通信システムの動作例を説明するためのシーケンス図である。
【図３】図３は、無線端末１の概略機能構成図である。
【図４】図４は、スケジュール情報記憶部１５の登録内容を模式的に表した図である。
【図５】図５は、プレゼンス情報記憶部１６の登録内容を模式的に表した図である。
【図６】図６は、無線端末１の動作を説明するためのフロー図である。
【図７】図７は、図６に示すマスタ端末プレゼンス更新処理（Ｓ２１）を説明するためのフロー図である。
【図８】図８は、図６に示すスレーブ端末プレゼンス更新処理（Ｓ２５）を説明するためのフロー図である。
【図９】図９は、本発明の第二実施の形態に係る通信システムの動作例を説明するためのシーケンス図である。
【図１０】図１０は、無線端末１ａの動作を説明するためのフロー図である。
【図１１】図１１は、図１０に示すマスタ端末プレゼンス更新処理（Ｓ４１）を説明するためのフロー図である。
【図１２】図１２は、図１０に示す無線端末１ａのスレーブ端末プレゼンス更新処理（Ｓ４５）を説明するためのフロー図である。
【発明を実施するための形態】
【００１３】
以下に、図面を参照して本発明の実施の形態を説明する。
【００１４】
［第一実施の形態］
図１は、本実施の形態に係る通信システムの概略構成図である。
【００１５】
図示するように、本実施の形態に係る通信システムは、複数の無線端末１−１〜１−３（以下、単に無線端末１とも称する）と、プレゼンスサーバ２と、を備えている。無線端末１は、無線ＡＰ（アクセスポイント）３を介して、プレゼンスサーバ２が接続されたＬＡＮ５に接続されている。また、ＬＡＮ５は、ＧＷ（ゲートウェイ）４を介してＷＡＮ６に接続されている。なお、本実施の形態では、プレゼンスサーバ２をＬＡＮ５に接続しているが、プレゼンスサーバ２はＷＡＮ６に接続されていてもよい。
【００１６】
無線端末１は、自無線端末１のユーザのスケジュール情報およびプレゼンス情報を管理する機能を有し、自無線端末１のユーザのプレゼンス情報がこのユーザのスケジュール情報に従って更新される都度、最新のプレゼンス情報をプレゼンスサーバ２に通知する。また、プレゼンスサーバ２から通知された他の無線端末１のユーザのプレゼンス情報を表示する。また、無線端末１は、Ｂｌｕｅｔｏｏｔｈ（登録商標）、無線ＬＡＮのアドホックモード等の近距離無線通信機能を備え、それぞれの無線端末１−１〜１−３は、近距離無線通信を介して、自無線端末１−１〜１−３の近距離無線通信エリア８−１〜８−３（以下、単に近距離無線通信エリア８とも称する）内に位置する他の無線端末１、つまり近傍に位置する１以上の無線端末１との間でプレゼンス情報を同期させる。
【００１７】
プレゼンスサーバ２は、各無線端末１のユーザのプレゼンス情報を管理する機能を有し、各無線端末１のユーザのプレゼンス情報を、各無線端末１から通知されたプレゼンス情報に従って更新する。また、いずれかのユーザのプレゼンス情報が更新される都度、このユーザのプレゼンス情報を、その通知先として予め登録されている無線端末１に通知する。
【００１８】
なお、本実施の形態において、無線端末１−１〜１−３は、すべて無線ＡＰ３の通信エリア７内に位置しているものとする。また、無線端末１−１、１−２は、互いの近距離無線通信エリア８−１、８−２内に位置している一方、無線端末１−３の近距離無線通信エリア８−３の外側に位置しているものとする。このため、無線端末１−１、１−２は、近距離無線通信により互いに通信可能であるが、無線端末１−３とは近距離無線通信による通信ができない。
【００１９】
図２は、本実施の形態に係る通信システムの動作例を説明するためのシーケンス図である。ここで、各無線端末１は、初期状態における自無線端末１のユーザのプレゼンス情報を「在席」に設定しているものとする。
【００２０】
まず、無線端末１−１は、自無線端末１−１に登録されたスケジュール情報に記述されているイベント「会議」の開始時刻が到来したことを検出すると（Ｓ１００）、自無線端末１−１のユーザＡのプレゼンス情報を「在席」から「会議」に更新する（Ｓ１０１）。それから、無線端末１−１は、ユーザＡの最新のプレゼンス情報「会議」を無線ＡＰ３経由でプレゼンスサーバ２に送信する（Ｓ１０２）。
【００２１】
これを受けて、プレゼンスサーバ２は、自プレゼンスサーバ２が管理しているユーザＡのプレゼンス情報を「在席」から「会議」に更新する（Ｓ１０３）。また、プレゼンスサーバ２は、ユーザＡの最新のプレゼンス情報「会議」を、ユーザＡのプレゼンス情報の送信先として予め登録されている無線端末１−３に無線ＡＰ３経由で送信する（Ｓ１０４）。そして、無線端末１−３は、プレゼンスサーバ２からユーザＡのプレゼンス情報「会議」を受信したならば、これを表示する（Ｓ１０５）。
【００２２】
また、無線端末１−１は、スケジュール情報に記述されたイベントの開始に伴い自無線端末１−１のユーザＡのプレゼンス情報を更新したならば、近距離無線通信を用いて、自無線端末１−１の近距離無線通信エリア８−１内に位置する無線端末１である近傍端末の探索を開始する（Ｓ１０６）。具体的には、近距離無線通信を用いて定期的に応答要求を同報送信する（Ｓ１０７−１〜Ｓ１０７−Ｎ、Ｓ１０７−（Ｎ＋１））。ここでは、無線端末１−１の近距離無線通信エリア８−１には無線端末１−２のみが位置しているため、無線端末１−２のみが、近距離無線通信を介して無線端末１−１から応答要求を受信する都度、近距離無線通信により無線端末１−１に応答を返信する（Ｓ１０８−１〜Ｓ１０８−Ｎ）。これにより、無線端末１−１は、近傍端末として新たな無線端末１−２を検出すると、この無線端末１−２に、近距離無線通信を用いて自無線端末１−１のユーザＡの最新のプレゼンス情報「会議」を送信する（Ｓ１０９）。これを受けて、無線端末１−２は、自無線端末１−２のユーザＢのプレゼンス情報の更新可否を判定する（Ｓ１１０）。具体的には、無線端末１−１のユーザＡの優先度が自無線端末１−２のユーザＢの優先度より高い場合、あるいは無線端末１−１のユーザＡのプレゼンス情報「会議」の優先度が自無線端末１−２のユーザＢのプレゼンス情報「在席」の優先度より高い場合に、無線端末１−２のユーザＢのプレゼンス情報を更新可と判定する。ここでは、無線端末１−２のユーザＢのプレゼンス情報が更新可と判定されたものとする。無線端末１−２は、自無線端末１−２のユーザＢのプレゼンス情報を「在席」から「会議」に更新する（Ｓ１１１）。それから、無線端末１−２は、ユーザＢの最新のプレゼンス情報「会議」を無線ＡＰ３経由でプレゼンスサーバ２に送信する（Ｓ１１２）。
【００２３】
これを受けて、プレゼンスサーバ２は、自プレゼンスサーバ２が管理しているユーザＢのプレゼンス情報を「在席」から「会議」に更新する（Ｓ１１３）。また、プレゼンスサーバ２は、ユーザＢの最新のプレゼンス情報「会議」を、ユーザＢのプレゼンス情報の送信先として予め登録されている無線端末１−３に無線ＡＰ３経由で送信する（Ｓ１１４）。そして、無線端末１−３は、プレゼンスサーバ２からユーザＢのプレゼンス情報「会議」を受信したならば、これを表示する（Ｓ１１５）。
【００２４】
また、無線端末１−２は、無線端末１−１から受信したユーザＡのプレゼンス情報に従い自無線端末１−２のユーザＢのプレゼンス情報を更新したならば、ユーザＡのプレゼンス情報の送信元である無線端末１−１をマスタ端末１−１に設定し、このマスタ端末１−１が自無線端末１−２の近距離無線通信エリア８−２内に位置しているか否かの監視を開始する（Ｓ１１６）。具体的には、マスタ端末１−１から応答要求が定期的に送られてくるか否かを監視する。
【００２５】
ここで、無線端末１−２のユーザＢが、無線端末１−１のユーザＡとともに参加している会議を途中退席するなどして、無線端末１−１が無線端末１−２の近距離無線通信エリア８−２から離脱したものとする。このため、無線端末１−２は、無線端末１−１からの応答要求を受信できず、無線端末１−１は、いずれの無線端末１からも、定期的な応答要求に対する応答を得られない（Ｓ１０７−（Ｎ＋１））。
【００２６】
そこで、無線端末１−２は、マスタ端末１−１が自無線端末１−２の近距離無線通信エリア８−２から離脱したものと判断し、自無線端末１−２のユーザＢのプレゼンス情報を更新する（Ｓ１２０）。具体的には、更新前（一つ前）のプレゼンス情報あるいはデフォルト設定されたプレゼンス情報に更新する。ここでは、一つ前のプレゼンス情報「在席」に更新されたものとする。
【００２７】
それから、無線端末１−２は、ユーザＢの最新のプレゼンス情報「在席」を無線ＡＰ３経由でプレゼンスサーバ２に送信して（Ｓ１２１）、マスタ端末１−１の監視を終了する（Ｓ１２２）。
【００２８】
プレゼンスサーバ２は、無線端末１−２からユーザＢのプレゼンス情報「在席」を受信すると、自プレゼンスサーバ２が管理しているユーザＢのプレゼンス情報を「会議」から「在席」に更新する（Ｓ１２３）。また、プレゼンスサーバ２は、ユーザＢの最新のプレゼンス情報「在席」を、ユーザＢのプレゼンス情報の送信先として予め登録されている無線端末１−３に無線ＡＰ３経由で送信する（Ｓ１２４）。そして、無線端末１−３は、プレゼンスサーバ２からユーザＢのプレゼンス情報「在席」を受信したならば、これを表示する（Ｓ１２５）。
【００２９】
一方、無線端末１−１は、自無線端末１−１に登録されたスケジュール情報に記述されているイベント「会議」の終了時刻が到来したことを検出すると（Ｓ１２６）、自無線端末１−１のユーザＡのプレゼンス情報を更新する（Ｓ１２７）。具体的には、更新前（一つ前）のプレゼンス情報あるいはデフォルト設定されたプレゼンス情報に更新する。ここでは、一つ前のプレゼンス情報「在席」に更新されたものとする。無線端末１−１は、ユーザＡの最新のプレゼンス情報「在席」を無線ＡＰ３経由でプレゼンスサーバ２に送信する（Ｓ１２８）。
【００３０】
これを受けて、プレゼンスサーバ２は、自プレゼンスサーバ２が管理しているユーザＡのプレゼンス情報を「会議」から「在席」に更新する（Ｓ１２９）。また、プレゼンスサーバ２は、ユーザＡの最新のプレゼンス情報「在席」を、ユーザＡのプレゼンス情報の送信先として予め登録されている無線端末１−３に無線ＡＰ３経由で送信する（Ｓ１３０）。そして、無線端末１−３は、プレゼンスサーバ２からユーザＡのプレゼンス情報「在席」を受信したならば、これを表示する（Ｓ１３１）。
【００３１】
なお、無線端末１−１は、近距離無線通信を用いて定期的に応答要求を同報送信しているが、ここでは、自無線端末１−１の近距離無線通信エリア８−１からの無線端末１−２の離脱に伴い近傍端末が検出されないため、ユーザＡの最新のプレゼンス情報「在席」の送信は行われない。
【００３２】
また、無線端末１−１は、スケジュール情報に記述されているイベント「会議」の終了に伴い自無線端末１−１のユーザＡのプレゼンス情報を更新したならば、近距離無線通信を用いた近傍端末の探索を終了する（Ｓ１３２）。
【００３３】
つぎに、無線端末１の詳細を説明する。なお、プレゼンスサーバ２には既存のプレゼンスサーバを用いることができるので、その詳細な説明を省略する。
【００３４】
図３は、無線端末１の概略機能構成図である。
【００３５】
図示するように、無線端末１は、マンマシンインターフェース部１０と、無線ＬＡＮインターフェース部１１と、近距離無線インターフェース部１２と、プレゼンス情報送受信部１３、１４と、スケジュール情報記憶部１５と、プレゼンス情報記憶部１６と、主制御部１７と、を備えている。
【００３６】
マンマシンインターフェース部１０は、ユーザに情報を提示したり、ユーザから指示を受け付けたりするためのインターフェースであり、例えばタッチパネルで構成される。
【００３７】
無線ＬＡＮインターフェース部１１は、無線ＬＡＮを介して無線ＡＰ３に接続するためのインターフェースである。
【００３８】
近距離無線インターフェース部１２は、Ｂｌｕｅｔｏｏｔｈ（登録商標）、無線ＬＡＮのアドホックモード等の近距離無線通信を介して他の無線端末１と接続するためのインターフェースである。
【００３９】
プレゼンス情報送受信部１３は、無線ＬＡＮインターフェース部１１を介してプレゼンスサーバ２とプレゼンス情報を送受信する。
【００４０】
プレゼンス情報送受信部１４は、近距離無線インターフェース部１２を介して他の無線端末１とプレゼンス情報を送受信する。
【００４１】
スケジュール情報記憶部１５には、自無線端末１のユーザのスケジュール情報が記憶されている。図４は、スケジュール情報記憶部１５の登録内容を模式的に表した図である。
【００４２】
図示するように、スケジュール情報記憶部１５には、計画されているイベントのレコード１５０がイベントの開始日時の順番に記憶されている。レコード１５０は、レコード１５０を識別するためのＩＤが登録されたフィールド１５１と、イベントの内容（会議、出張、来客等）が登録されたフィールド１５２と、イベントの開始日時が登録されたフィールド１５３と、イベントの終了日時が登録されたフィールド１５４と、イベントの開催場所が登録されたフィールド１５５と、イベント開催中におけるユーザへの連絡先（電話番号、電子メールアドレス等）が登録されたフィールド１５６と、を有する。
【００４３】
プレゼンス情報記憶部１６には、自無線端末１のユーザのプレゼンス情報が記憶される。図５は、プレゼンス情報記憶部１６の登録内容を模式的に表した図である。
【００４４】
図示するように、プレゼンス情報記憶部１６には、自無線端末１のユーザのプレゼンス（在席、帰宅、会議、出張、来客等）を登録するフィールド１６１と、自無線端末１のユーザの所在を登録するフィールド１６２と、自無線端末１のユーザの連絡先（電話番号、電子メールアドレス等）を登録するフィールド１６３と、が記憶される。
【００４５】
主制御部１７は、無線端末１の各部１０〜１６を統括的に制御する。また、主制御部１７は、スケジュール情報記憶部１５に記憶されているスケジュール情報に従い、あるいは、プレゼンス情報送受信部１４を介して他の無線端末１から受信したプレゼンス情報に従い、プレゼンス情報記憶部１６に記憶されているプレゼンス情報を更新する。また、主制御部１７は、スケジュール情報記憶部１５に記憶されているスケジュール情報に従って、プレゼンス情報記憶部１６に記憶されているプレゼンス情報を更新した場合に、プレゼンス情報送受信部１４を介して他の無線端末１に更新後のプレゼンス情報を送信する。さらに、主制御部１７は、プレゼンス情報記憶部１６に記憶されているプレゼンス情報を更新した場合に、プレゼンス情報送受信部１３を介してプレゼンスサーバ２に更新後のプレゼンス情報を送信する。
【００４６】
図６は、無線端末１の動作を説明するためのフロー図である。なお、無線端末１には、予め、自無線装置１のユーザの優先度、および、スケジュール情報のイベント内容として設定可能な各プレゼンスと優先度との対応情報が登録されていることとする。
【００４７】
主制御部１７は、スケジュール情報記憶部１５を定期的に参照し、フィールド１５４に登録されている終了日時前であって、かつフィールド１５３に登録されている開始日時が到来したイベントのレコード１５０があるか否かを監視する（Ｓ２０）。そして、このようなレコード１５０があるならば（Ｓ２０でＹＥＳ）、このレコード１５０をプレゼンス更新の参照レコード１５０に設定して、後述のマスタ端末プレゼンス更新処理を実施する（Ｓ２１）。
【００４８】
また、主制御部１７は、近距離無線インターフェース部１２を介して、自無線端末１の近距離無線通信エリア８内に位置する他の無線端末１から応答要求を受信したならば（Ｓ２２でＹＥＳ）、近距離無線インターフェース部１２を介してこの無線端末１に応答を返信する（Ｓ２３）。
【００４９】
また、主制御部１７は、近距離無線インターフェース部１２およびプレゼンス情報送受信部１４を介して、無線端末１の近距離無線通信エリア８内に位置する他の無線端末１からプレゼンス情報を受信したならば（Ｓ２４でＹＥＳ）、この無線端末１を新たなマスタ端末１に設定して、後述のスレーブ端末プレゼンス更新処理を実施する（Ｓ２５）。
【００５０】
また、主制御部１７は、無線ＬＡＮインターフェース部１１およびプレゼンス情報送受信部１３を介して、プレゼンスサーバ２から他の無線端末１のユーザのプレゼンス情報をユーザ情報とともに受信したならば（Ｓ２６でＹＥＳ）、このプレゼンス情報を、ユーザ情報に含まれるユーザ名とともにマンマシンインターフェース部１０に表示する（Ｓ２７）。
【００５１】
図７は、図６に示すマスタ端末プレゼンス更新処理（Ｓ２１）を説明するためのフロー図である。
【００５２】
まず、主制御部１７は、図６のＳ２０で設定したプレゼンス更新の参照レコード１５０に基づいて、プレゼンス情報記憶部１６に記憶されているプレゼンス情報を更新する（Ｓ２１０）。具体的には、プレゼンス情報記憶部１６のフィールド１６１に登録されているプレゼンスを、プレゼンス更新の参照レコード１５０のフィールド１５２に登録されているイベント内容に更新し、プレゼンス情報記憶部１６のフィールド１６２に登録されている所在を、プレゼンス更新の参照レコード１５０のフィールド１５５に登録されている開催場所に更新し、そして、プレゼンス情報記憶部１６のフィールド１６３に登録されている連絡先を、プレゼンス更新の参照レコード１５０のフィールド１５６に登録されている連絡先に更新する。
【００５３】
つぎに、主制御部１７は、プレゼンス情報送受信部１３および無線ＬＡＮインターフェース部１１を介してプレゼンスサーバ２に、プレゼンス情報記憶部１６に記憶されているプレゼンス情報（プレゼンス、所在、連絡先）を、自無線端末１のユーザのユーザ名を含むユーザ情報とともに送信する（Ｓ２１１）。
【００５４】
また、主制御部１７は、自無線端末１の近距離無線通信エリア８内に位置する他の無線端末１である近傍端末１の探索を開始する（Ｓ２１２）。具体的には、近距離無線インターフェース部１２から応答要求を定期的に同報送信して、その応答を受信することにより、近傍端末１を探索する。
【００５５】
ここで、主制御部１７は、近傍端末１を新たに検出したならば（Ｓ２１３でＹＥＳ）、プレゼンス情報送受信部１４および近距離無線インターフェース部１２を介して、新たに検出した近傍端末１に、プレゼンス情報記憶部１６に記憶されているプレゼンス情報を、自無線端末１のユーザの優先度を含むユーザ情報とともに送信する（Ｓ２１４）。そして、主制御部１７は、プレゼンス更新の参照レコード１５０のフィールド１５４に登録されているイベントの終了日時が到来していなければ（Ｓ２１５でＮＯ）、この処理（Ｓ２１３、Ｓ２１４）を繰り返す。
【００５６】
つぎに、主制御部１７は、プレゼンス更新の参照レコード１５０のフィールド１５４に登録されているイベントの終了日時を経過したならば（Ｓ２１５でＹＥＳ）、プレゼンス情報記憶部１６に記憶されているプレゼンス情報を、デフォルト設定されているプレゼンス情報に更新する（Ｓ２１６）。例えば、現在時刻が勤務時間帯に属しているならば、プレゼンス情報記憶部１６のフィールド１６１〜１６３に、プレゼンス「在席」、所在「ユーザの勤務地」、連絡先「自無線端末１の電話番号」を登録する。あるいは、現在時刻が勤務時間帯に属していないならば、プレゼンス「不在」、所在「帰宅」、連絡先「自無線端末１の電子メールアドレス」を登録する。なお、デフォルト設定されているプレゼンス情報に代えて、Ｓ２１０における更新前のプレゼンス情報に戻すようにしてもよい。
【００５７】
つぎに、主制御部１７は、プレゼンス情報送受信部１３および無線ＬＡＮインターフェース部１１を介してプレゼンスサーバ２に、プレゼンス情報記憶部１６に記憶されているプレゼンス情報を、自無線端末１のユーザのユーザ名を含むユーザ情報とともに送信する（Ｓ２１７）。
【００５８】
また、主制御部１７は、近傍端末１が存在するならば（Ｓ２１８でＹＥＳ）、プレゼンス情報送受信部１４および近距離無線インターフェース部１２を介して近傍端末１に、プレゼンス情報記憶部１６に記憶されているプレゼンス情報を、自無線端末１のユーザの優先度を含むユーザ情報とともに送信する（Ｓ２１９）。それから、主制御部１７は、近傍端末１の探索を終了し（Ｓ２２０）、その後、本フロー（Ｓ２１）を終了する。
【００５９】
図８は、図６に示すスレーブ端末プレゼンス更新処理（Ｓ２５）を説明するためのフロー図である。
【００６０】
まず、主制御部１７は、マスタ端末１から受信したプレゼンス情報に基づき、プレゼンス情報記憶部１６に記憶されているプレゼンス情報の更新可否を判定する（Ｓ２５０）。具体的には、マスタ端末１からプレゼンス情報とともに受信したユーザ情報に含まれている優先度が自無線端末１のユーザの優先度より高い場合、あるいはマスタ端末１より受信したプレゼンス情報が示すプレゼンスの優先度が、プレゼンス情報記憶部１６に記憶されているプレゼンス情報が示すプレゼンスの優先度より高い場合に、プレゼンス情報記憶部１６に記憶されたプレゼンス情報を更新可と判定し、そうでない場合は、プレゼンス情報記憶部１６に記憶されたプレゼンス情報を更新不可と判定する。ここで、プレゼンス情報記憶部１６に記憶されたプレゼンス情報が更新不可と判定されたならば（Ｓ２５０で「更新不可」）、本フロー（Ｓ２５）を終了する。
【００６１】
一方、プレゼンス情報記憶部１６に記憶されたプレゼンス情報が更新可と判定された場合（Ｓ２５０で「更新可」）、主制御部１７は、プレゼンス情報記憶部１６に記憶されているプレゼンス情報を、マスタ端末１から受信したプレゼンス情報に更新する（Ｓ２５１）。
【００６２】
つぎに、主制御部１７は、プレゼンス情報送受信部１３および無線ＬＡＮインターフェース部１１を介してプレゼンスサーバ２に、プレゼンス情報記憶部１６に記憶されているプレゼンス情報を、自無線端末１のユーザのユーザ名を含むユーザ情報とともに送信する（Ｓ２５２）。それから、主制御部１７は、近距離無線インターフェース部１２を介してマスタ端末１から応答要求を定期的に受信しているか否かを監視することにより、マスタ端末１が自無線端末１の近距離無線通信エリア８内に位置しているか否かの監視を開始する（Ｓ２５３）。
【００６３】
主制御部１７は、マスタ端末１からの応答要求の監視中、近距離無線インターフェース部１２を介してマスタ端末１から応答要求を受信する都度、近距離無線インターフェース部１２を介してマスタ端末１に応答を返信するが、近距離無線インターフェース部１２を介してマスタ端末１から応答要求を受信することなく、所定時間の経過によりタイムアウトしたならば、マスタ端末１が自無線端末１の近距離無線通信エリア８から離脱したものと判断する（Ｓ２５４でＹＥＳ）。この場合、主制御部１７は、プレゼンス情報記憶部１６に記憶されているプレゼンス情報を、デフォルト設定されているプレゼンス情報に更新する（Ｓ２５５）。例えば、現在時刻が勤務時間帯に属しているならば、プレゼンス情報記憶部１６のフィールド１６１〜１６３に、プレゼンス「在席」、所在「ユーザの勤務地」、連絡先「自無線端末１の電話番号」を登録する。あるいは、現在時刻が勤務時間帯に属していないならば、プレゼンス「不在」、所在「帰宅」、連絡先「自無線端末１の電子メールアドレス」を登録する。なお、主制御部１７が、Ｓ２５１において、更新前のプレゼンス情報を保持しておき、デフォルト設定されているプレゼンス情報の代わりに、更新前のプレゼンス情報で、プレゼンス情報記憶部１６に記憶されているプレゼンス情報を更新ようにしてもよい。
【００６４】
つぎに、主制御部１７は、プレゼンス情報送受信部１３および無線ＬＡＮインターフェース部１１を介してプレゼンスサーバ２に、プレゼンス情報記憶部１６に記憶されているプレゼンス情報を、自無線端末１のユーザのユーザ名を含むユーザ情報とともに送信する（Ｓ２５６）。それから、主制御部１７は、マスタ端末１の監視を終了し（Ｓ２５７）、その後、本フロー（Ｓ２５）を終了する。
【００６５】
また、主制御部１７は、近距離無線インターフェース部１２およびプレゼンス情報送受信部１４を介してマスタ端末１からプレゼンス情報を受信したならば（Ｓ２５８）、プレゼンス情報記憶部１６に記憶されているプレゼンス情報を、このマスタ端末１から受信したプレゼンス情報に更新する（Ｓ２５９）。
【００６６】
つぎに、主制御部１７は、プレゼンス情報送受信部１３および無線ＬＡＮインターフェース部１１を介してプレゼンスサーバ２に、プレゼンス情報記憶部１６に記憶されているプレゼンス情報を、自無線端末１のユーザのユーザ名を含むユーザ情報とともに送信する（Ｓ２６０）。それから、主制御部１７は、マスタ端末１の監視を終了し（Ｓ２６１）、その後、本フロー（Ｓ２５）を終了する。
【００６７】
以上、本発明の第一実施の形態を説明した。
【００６８】
本実施の形態において、無線端末１は、自無線端末１に記憶されているスケジュール情報に従って自無線端末１のユーザのプレゼンス情報を更新した場合に、自無線端末１の近距離無線通信エリア８内に位置する他の無線端末１各々に対して更新後のプレゼンス情報を送信する。また、無線端末１は、自無線端末１の近距離無線通信エリア８内に位置する他の無線端末１からプレゼンス情報を受信したならば、自無線端末１のユーザのプレゼンス情報を、この他の無線端末１から受信したプレゼンス情報に更新する。さらに、無線端末１は、プレゼンスサーバ２に更新後のプレゼンス情報を送信する。
【００６９】
したがって、本実施の形態によれば、いずれかの無線端末１がスケジュール情報に従ってユーザのプレゼンス情報を更新すると、この無線端末１の近距離無線通信エリア８内に位置する他の無線端末１各々のユーザのプレゼンス情報が、この更新されたプレゼンス情報に更新される。このように近傍に位置する無線端末１間でプレゼンス情報の同期を図ることにより、専用の中継装置を設けなくても、また無線端末１にＧＰＳ機能が搭載されていなくても、プレゼンス情報を更新することが可能となる。また、プレゼンス情報が位置情報に依存していないので、同じ位置（部屋等）でも異なる行動をとり得るユーザのプレゼンスをより正確に把握することが可能となる。
【００７０】
また、本実施の形態において、無線端末１は、自無線端末１の近距離無線通信エリア８内に位置する他の無線端末１からプレゼンス情報を受信した場合に、この他の無線端末１のユーザの優先度あるいは受信したプレゼンス情報が示すプレゼンスの優先度が、自無線端末１のユーザの優先度あるいは自無線端末１が管理しているプレゼンス情報が示すプレゼンスの優先度より高い場合に、自無線端末１が管理しているプレゼンス情報を、この受信したプレゼンス情報に更新している。このため、本実施の形態によれば、近傍に位置する無線端末１間において、プレゼンス情報を適切なものに同期させることが可能となる。
【００７１】
また、本実施の形態において、無線端末１は、自無線端末１のユーザのプレゼンス情報を、他の無線端末１から受信したプレゼンス情報に更新した場合、この他の無線端末（マスタ端末）１が自無線端末１の近距離無線通信エリア８内に位置しているか否かを監視し、マスタ端末１が自無線端末１の近距離無線通信エリア８から離脱したならば、自無線端末１のユーザのプレゼンス情報を、デフォルト設定されているプレゼンス情報、あるいは更新前のプレゼンス情報に更新する。このため、本実施の形態によれば、自無線端末１のユーザのプレゼンス情報が、マスタ端末１のユーザと別行動となった後においても、マスタ端末１のユーザのプレゼンス情報のままとなってしまうのを防止することができる。
【００７２】
なお、本実施の形態において、無線端末１は、スケジュール情報記憶部１５に記憶されているスケジュール情報に記述されたイベントの開始日時が到来した場合に、図７に示すマスタ端末プレゼンス更新処理を実施している（図６のＳ２０、Ｓ２１参照）。しかしながら、本発明はこれに限定されない。無線端末１が、マンマシンインターフェース部１０を介してユーザからプレゼンスの変更操作を受け付けた場合にも、図７に示すマスタ端末プレゼンス更新処理を実施するようにしてもよい。この場合、主制御部１７は、Ｓ２１０において、ユーザから受け付けたプレゼンスの変更操作に従い、プレゼンス情報記憶部１６に記憶されているユーザのプレゼンス情報を更新する。また、Ｓ２１５において、マンマシンインターフェース部１０を介してユーザからプレゼンスの変更操作を新たに受け付けるのを待ち、Ｓ２１６において、Ｓ２１５でユーザから新たに受け付けたプレゼンスの変更操作に従い、プレゼンス情報記憶部１６に記憶されているユーザのプレゼンス情報を更新する。
【００７３】
［第二実施の形態］
本実施の形態に係る通信システムが、図１に示す本発明の第一実施の形態に係る通信システムと異なる点は、無線端末１（無線端末１−１〜１−３）に代えて無線端末１ａ（無線端末１ａ−１〜１ａ−３）を用いたことである。その他の構成は、図１に示す本発明の第一実施の形態と同様である。
【００７４】
無線端末１ａは、自無線端末１ａのユーザのスケジュール情報およびプレゼンス情報を管理する機能を有し、自無線端末１ａのユーザのプレゼンス情報が、このユーザのスケジュール情報に従って更新される都度、最新のプレゼンス情報をプレゼンスサーバ２に通知する。また、プレゼンスサーバ２から通知された他の無線端末１ａのユーザのプレゼンス情報を表示する。また、無線端末１ａは、Ｂｌｕｅｔｏｏｔｈ（登録商標）、無線ＬＡＮのアドホックモード等の近距離無線通信機能を備え、それぞれの無線端末１ａ−１〜１ａ−３は、近距離無線通信を介して、自無線端末１ａ−１〜１ａ−３の近距離無線通信エリア８−１〜８−３（第一実施の形態と同様、単に近距離無線通信エリア８とも称する）内に位置する他の無線端末１ａ、つまり近傍に位置する１以上の無線端末１ａとの間で、スケジュール情報に含まれている開催中のイベントのイベント情報を同期させる。
【００７５】
なお、本実施の形態において、無線端末１ａ−１〜１ａ−３は、すべて無線ＡＰ３の通信エリア７内に位置しているものとする。また、無線端末１ａ−１、１ａ−２は、互いの近距離無線通信エリア８−１、８−２内に位置している一方、無線端末１ａ−３の近距離無線通信エリア８−３の外側に位置しているものとする。このため、無線端末１ａ−１、１ａ−２は、近距離無線通信により互いに通信可能であるが、無線端末１ａ−３とは近距離無線通信による通信ができない。
【００７６】
図９は、本実施の形態に係る通信システムの動作例を説明するためのシーケンス図である。ここで、各無線端末１ａは、初期状態における自無線端末１ａのユーザのプレゼンス情報を「在席」に設定しているものとする。
【００７７】
まず、無線端末１ａ−１は、自無線端末１ａ−１に登録されているスケジュール情報に記述されているイベント「会議」の開始時刻が到来したことを検出すると（Ｓ３００）、自無線端末１ａ−１のユーザＡのプレゼンス情報を「在席」から「会議」に更新する（Ｓ３０１）。それから。無線端末１ａ−１は、ユーザＡの最新のプレゼンス情報「会議」を無線ＡＰ３経由でプレゼンスサーバ２に送信する（Ｓ３０２）。
【００７８】
これを受けて、プレゼンスサーバ２は、自プレゼンスサーバ２が管理しているユーザＡのプレゼンス情報を「在席」から「会議」に更新する（Ｓ３０３）。また、プレゼンスサーバ２は、ユーザＡの最新のプレゼンス情報「会議」を、ユーザＡのプレゼンス情報の送信先として予め登録されている無線端末１ａ−３に無線ＡＰ３経由で送信する（Ｓ３０４）。そして、無線端末１ａ−３は、プレゼンスサーバ２からユーザＡのプレゼンス情報「会議」を受信したならば、これを表示する（Ｓ３０５）。
【００７９】
また、無線端末１ａ−１は、スケジュール情報に記述されたイベントの開始に伴い自無線端末１ａ−１のユーザＡのプレゼンス情報を更新したならば、近距離無線通信を用いて、近距離無線通信エリア８−１内に位置する近傍端末１の探索を開始する（Ｓ３０６）。具体的には、近距離無線通信を用いて定期的に応答要求を同報送信する（Ｓ３０７−１〜Ｓ３０７−Ｎ）。ここで、無線端末１ａ−１の近距離無線通信エリア８−１には無線端末１ａ−２のみが位置しているため、無線端末１ａ−２のみが、近距離無線通信を介して無線端末１ａ−１から応答要求を受信する都度、近距離無線通信により無線端末１ａ−１に応答を返信する（Ｓ３０８−１〜Ｓ３０８−Ｎ）。これにより、無線端末１ａ−１は、近傍端末１ａとして新たな無線端末１ａ−２を検出すると、近距離無線通信を用いて、この無線端末１ａ−２に、自無線端末１ａ−１のユーザＡのプレゼンス情報更新のトリガとなったイベント情報（イベント内容「会議」と、イベントの開始日時、終了日時および開催場所とを含む、図４に示すイベントのレコード１５０）を、ユーザＡの優先度を含むユーザ情報とともに送信する（Ｓ３０９）。
【００８０】
これを受けて、無線端末１ａ−２は、自無線端末１ａ−２のユーザＢのスケジュール情報の更新可否を判定する（Ｓ３１０）。具体的には、無線端末１ａ−１のユーザＡの優先度が自無線端末１ａ−２のユーザＢの優先度より高い場合、または、無線端末１ａ−１から受信したイベント情報と重複する開催期間（開始日時から終了日時までの時間帯）を有するイベント情報が自無線端末１ａ−２のユーザＢのスケジュール情報に含まれていないか、あるいは含まれていても、無線端末１ａ−１から受信したイベント情報のイベント内容「会議」の優先度が、この重複するイベント情報のイベント内容の優先度よりも高い場合に、無線端末１ａ−２のユーザＢのプレゼンス情報を更新可と判定する。ここでは、無線端末１ａ−２のユーザＢのプレゼンス情報が更新可と判定されたものとする。
【００８１】
無線端末１ａ−２は、自無線端末１ａ−２のユーザＢのスケジュール情報に無線端末１ａ−１から受信したイベント情報を追加して、スケジュール情報を更新する（Ｓ３１１）。また、無線端末１ａ−２は、無線端末１ａ−１から受信したイベント情報に従い、自無線端末１ａ−２のユーザＢのプレゼンス情報を「在席」から「会議」に更新する（Ｓ３１２）。それから、無線端末１ａ−２は、ユーザＢの最新のプレゼンス情報「会議」を無線ＡＰ３経由でプレゼンスサーバ２に送信する（Ｓ３１３）。
【００８２】
これを受けて、プレゼンスサーバ２は、自プレゼンスサーバ２が管理しているユーザＢのプレゼンス情報を「在席」から「会議」に更新する（Ｓ３１４）。また、プレゼンスサーバ２は、ユーザＢの最新のプレゼンス情報「会議」を、ユーザＢのプレゼンス情報の送信先として予め登録されている無線端末１ａ−３に無線ＡＰ３経由で送信する（Ｓ３１５）。そして、無線端末１ａ−３は、プレゼンスサーバ２からユーザＢのプレゼンス情報「会議」を受信したならば、これを表示する（Ｓ３１６）。
【００８３】
また、無線端末１ａ−２は、無線端末１ａ−１から受信したイベント情報に従い、自無線端末１ａ−２のスケジュール情報を更新したならば、イベント情報の送信元である無線端末１ａ−１をマスタ端末１ａ−１に設定し、このマスタ端末１ａ−１が自無線端末１ａ−２の近距離無線通信エリア８−２内に位置しているか否かの監視を開始する（Ｓ３１７）。具体的には、マスタ端末１ａ−１から応答要求が定期的に送られてくるか否かを監視する。
【００８４】
さて、無線端末１ａ−１は、自無線端末１ａ−１に登録されているスケジュール情報に記述されたイベント「会議」の終了時刻が到来したことを検出すると（Ｓ３２０）、自無線端末１ａ−１のユーザＡのプレゼンス情報を更新する（Ｓ３２２）。具体的には、更新前（一つ前）のプレゼンス情報あるいはデフォルト設定されたプレゼンス情報に更新する。ここでは、一つ前のプレゼンス情報「在席」に更新されたものとする。また、無線端末１ａ−１は、ユーザＡの最新のプレゼンス情報「在席」を無線ＡＰ３経由でプレゼンスサーバ２に送信する（Ｓ３２４）。その後、無線端末１ａ−１は、スケジュール情報に記述されているイベントの終了に伴い自無線端末１ａ−１のユーザＡのプレゼンス情報を更新したならば、近距離無線通信を用いた近傍端末１ａの探索を終了する（Ｓ３２６）。
【００８５】
同様に、無線端末１ａ−２は、自無線端末１ａ−２に登録されているスケジュール情報に記述されたイベント「会議」の終了時刻が到来したことを検出すると（Ｓ３２１）、自無線端末１ａ−２のユーザＢのプレゼンス情報を更新する（Ｓ３２３）。具体的には、更新前（一つ前）のプレゼンス情報あるいはデフォルト設定されたプレゼンス情報に更新する。ここでは、一つ前のプレゼンス情報「在席」に更新されたものとする。また、無線端末１ａ−２は、ユーザＢの最新のプレゼンス情報「在席」を無線ＡＰ３経由でプレゼンスサーバ２に送信する（Ｓ３２５）。その後、無線端末１ａ−２は、スケジュール情報に記述されているイベントの終了に伴い自無線端末１ａ−２のユーザＢのプレゼンス情報を更新したならば、マスタ端末１ａ−１の監視を終了する（Ｓ３２７）。
【００８６】
また、プレゼンスサーバ２は、無線端末１ａ−１、１ａ−２からユーザＡ、Ｂのプレゼンス情報「在席」を受信すると、自プレゼンスサーバ２が管理しているユーザＡ、Ｂのプレゼンス情報を「会議」から「在席」に更新する（Ｓ３２８）。また、プレゼンスサーバ２は、ユーザＡ、Ｂの最新のプレゼンス情報「在席」を、ユーザＡ、Ｂのプレゼンス情報の送信先として予め登録されている無線端末１ａ−３に無線ＡＰ３経由で送信する（Ｓ３２９）。そして、無線端末１ａ−３は、プレゼンスサーバ２からユーザＡ、Ｂのプレゼンス情報「在席」を受信したならば、これを表示する（Ｓ３３０）。
【００８７】
つぎに、無線端末１ａの詳細を説明する。
【００８８】
無線端末１ａの機能構成が、図３に示す無線端末１の機能構成と異なる点は、プレゼンス情報送受信部１４に代えてイベント情報送受信部１４ａを用いたこと、および主制御部１７に代えて主制御部１７ａを用いたことである。その他の機能構成は、図３に示す無線端末１の機能構成と同様である。
【００８９】
図１０は、無線端末１ａの動作を説明するためのフロー図である。
【００９０】
主制御部１７ａは、スケジュール情報記憶部１５を定期的に参照し、フィールド１５４に登録されている終了日時前であって、かつフィールド１５３に登録されている開始日時が到来したイベントのレコード１５０があるか否かを監視する（Ｓ４０）。そして、このようなレコード１５０があるならば（Ｓ４０でＹＥＳ）、このレコード１５０をプレゼンス更新の参照レコード１５０に設定して、後述のマスタ端末プレゼンス更新処理を実施する（Ｓ４１）。
【００９１】
また、主制御部１７ａは、近距離無線インターフェース部１２を介して、自無線端末１ａの近距離無線通信エリア８内に位置する他の無線端末１ａから応答要求を受信したならば（Ｓ４２でＹＥＳ）、近距離無線インターフェース部１２を介してこの無線端末１ａに応答を返信する（Ｓ４３）。
【００９２】
また、主制御部１７ａは、近距離無線インターフェース部１２およびイベント情報送受信部１４ａを介して、無線端末１ａの近距離無線通信エリア８内に位置する他の無線端末１ａからイベント情報を受信したならば（Ｓ４４でＹＥＳ）、この無線端末１ａを新たなマスタ端末１ａに設定して、後述のスレーブ端末プレゼンス更新処理を実施する（Ｓ４５）。
【００９３】
また、主制御部１７ａは、無線ＬＡＮインターフェース部１１およびプレゼンス情報送受信部１３を介して、プレゼンスサーバ２から他の無線端末１ａのユーザのプレゼンス情報をユーザ情報とともに受信したならば（Ｓ４６でＹＥＳ）、この受信したプレゼンス情報を、ユーザ情報に含まれるユーザ名とともにマンマシンインターフェース部１０に表示する（Ｓ４７）。
【００９４】
図１１は、図１０に示すマスタ端末プレゼンス更新処理（Ｓ４１）を説明するためのフロー図である。
【００９５】
まず、主制御部１７ａは、図１０のＳ４０で設定したプレゼンス更新の参照レコード１５０に基づいて、プレゼンス情報記憶部１６に記憶されているプレゼンス情報を更新する（Ｓ４１０）。具体的には、プレゼンス情報記憶部１６のフィールド１６１に登録されているプレゼンスを、プレゼンス更新の参照レコード１５０のフィールド１５２に登録されているイベント内容に更新し、プレゼンス情報記憶部１６のフィールド１６２に登録されている所在を、プレゼンス更新の参照レコード１５０のフィールド１５５に登録されている開催場所に更新し、そして、プレゼンス情報記憶部１６のフィールド１６３に登録されている連絡先を、プレゼンス更新の参照レコード１５０のフィールド１５６に登録されている連絡先に更新する。
【００９６】
つぎに、主制御部１７ａは、プレゼンス情報送受信部１３および無線ＬＡＮインターフェース部１１を介してプレゼンスサーバ２に、プレゼンス情報記憶部１６に記憶されているプレゼンス情報（プレゼンス、所在、連絡先）を、自無線端末１ａのユーザのユーザ名を含むユーザ情報とともに送信する（Ｓ４１１）。
【００９７】
また、主制御部１７ａは、自無線端末１ａの近距離無線通信エリア８内に位置する他の無線端末１ａである近傍端末１ａの探索を開始する（Ｓ４１２）。具体的には、近距離無線インターフェース部１２から応答要求を定期的に同報送信して、その応答を受信することにより、近傍端末１ａを探索する。
【００９８】
それから、主制御部１７ａは、近傍端末１ａを新たに検出したならば（Ｓ４１３でＹＥＳ）、イベント情報送受信部１４ａおよび近距離無線インターフェース部１２を介して、この新たに検出した近傍端末１ａに、プレゼンス更新の参照レコード１５０を、自無線端末１ａのユーザの優先度を含むユーザ情報とともに送信する（Ｓ４１４）。そして、主制御部１７ａは、プレゼンス更新の参照レコード１５０のフィールド１５４に登録されているイベントの終了日時が到来していなければ（Ｓ４１５でＮＯ）、この処理（Ｓ４１３、Ｓ４１４）を繰り返す。
【００９９】
つぎに、主制御部１７ａは、プレゼンス更新の参照レコード１５０のフィールド１５４に登録されているイベントの終了日時が到来したならば（Ｓ４１５でＹＥＳ）、プレゼンス情報記憶部１６に記憶されているプレゼンス情報を、デフォルト設定されているプレゼンス情報に更新する（Ｓ４１６）。例えば、現在時刻が勤務時間帯に属しているならば、プレゼンス情報記憶部１６のフィールド１６１〜１６３に、プレゼンス「在席」、所在「ユーザの勤務地」、連絡先「自無線端末１ａの電話番号」を登録する。あるいは、現在時刻が勤務時間帯に属していないならば、プレゼンス「不在」、所在「帰宅」、連絡先「自無線端末１ａの電子メールアドレス」を登録する。なお、デフォルト設定されているプレゼンス情報に代えて、Ｓ４１０における更新前のプレゼンス情報に戻すようにしてもよい。
【０１００】
つぎに、主制御部１７ａは、プレゼンス情報送受信部１３および無線ＬＡＮインターフェース部１１を介してプレゼンスサーバ２に、プレゼンス情報記憶部１６に記憶されているプレゼンス情報を、自無線端末１ａのユーザ情報とともに送信する（Ｓ４１７）。それから、主制御部１７ａは、近傍端末１ａの探索を終了し（Ｓ４１８）、その後、本フロー（Ｓ４１）を終了する。
【０１０１】
図１２は、図１０に示すスレーブ端末プレゼンス更新処理（Ｓ４５）を説明するためのフロー図である。
【０１０２】
まず、主制御部１７ａは、マスタ端末１ａから受信したプレゼンス更新の参照レコード１５０に基づき、スケジュール情報記憶部１５に記憶されているスケジュール情報の更新可否を判定する（Ｓ４５０）。具体的には、マスタ端末１ａからプレゼンス更新の参照レコード１５０とともに受信したユーザ情報に含まれている優先度が自無線端末１ａのユーザの優先度より高い場合、プレゼンス更新の参照レコード１５０と少なくとも一部重複するイベントの開催期間（開始日時から終了日時までの時間帯）を有するレコード１５０がスケジュール情報記憶部１５に記憶されていない場合、あるいは、このようなレコード１５０が記憶されていても、そのレコード１５０のイベント内容により特定される優先度が、プレゼンス更新の参照レコード１５０のイベント内容により特定される優先度より低い場合に、プレゼンス情報記憶部１６に記憶されたプレゼンス情報を更新可と判断し、いずれの場合にも該当しない場合に、プレゼンス情報記憶部１６に記憶されたプレゼンス情報を更新不可と判定する。ここで、プレゼンス情報記憶部１６に記憶されたプレゼンス情報が更新不可と判例されたならば（Ｓ４５０で「更新不可」）、本フロー（Ｓ４５）を終了する。
【０１０３】
一方、プレゼンス情報記憶部１６に記憶されたプレゼンス情報が更新可と判定された場合（Ｓ４５０で「更新可」）、主制御部１７ａは、スケジュール情報記憶部１５にプレゼンス更新の参照レコード１５０を追加して、スケジュール情報記憶部１５に記憶されているスケジュール情報を更新する（Ｓ４５１）。ここで、参照レコード１５０のフィールド１５６の連絡先が電話番号ならば、この連絡先を自無線端末１ａの電話番号に変更し、電子メールアドレスならば、この連絡先を自無線端末１ａの電子メールアドレスに変更する。また、プレゼンス更新の参照レコード１５０と少なくとも一部重複するイベントの開催期間を有するレコード１５０がスケジュール情報記憶部１５に記憶されているならば、このレコード１５０をスケジュール情報記憶部１５から削除する。
【０１０４】
つぎに、主制御部１７ａは、スケジュール情報記憶部１５に追加したプレゼンス更新の参照レコード１５０に基づいて、プレゼンス情報記憶部１６に記憶されているプレゼンス情報を更新する（Ｓ４５２）。それから、主制御部１７ａは、プレゼンス情報送受信部１３および無線ＬＡＮインターフェース部１１を介してプレゼンスサーバ２に、プレゼンス情報記憶部１６に記憶されているプレゼンス情報を、自無線端末１ａのユーザのユーザ名を含むユーザ情報とともに送信する（Ｓ４５３）。それから、主制御部１７ａは、近距離無線インターフェース部１２を介してマスタ端末１ａから応答要求を定期的に受信しているか否かを監視することにより、マスタ端末１ａが自無線端末１ａの近距離無線通信エリア８内に位置しているか否かの監視を開始する（Ｓ４５４）。
【０１０５】
主制御部１７ａは、マスタ端末１ａからの応答要求の監視中、近距離無線インターフェース部１２を介してマスタ端末１ａから応答要求を受信する都度、近距離無線インターフェース部１２を介してマスタ端末１ａに応答を返信するが、近距離無線インターフェース部１２を介してマスタ端末１ａから応答要求を受信することなく、所定時間の経過によりタイムアウトしたならば、マスタ端末１ａが自無線端末１ａの近距離無線通信エリア８から離脱したものと判断する（Ｓ４５５でＹＥＳ）。この場合、主制御部１７ａは、スケジュール情報記憶部１５に追加したプレゼンス更新の参照レコード１５０のフィールド１５４に登録されている終了日時を現在日時に更新するとともに（Ｓ４５６）、プレゼンス情報記憶部１６に記憶されているプレゼンス情報を、デフォルト設定されているプレゼンス情報に更新する（Ｓ４５７）。例えば、現在時刻が勤務時間帯に属しているならば、プレゼンス情報記憶部１６のフィールド１６１〜１６３に、プレゼンス「在席」、所在「ユーザの勤務地」、連絡先「自無線端末１ａの電話番号」を登録する。あるいは、現在時刻が勤務時間帯に属していないならば、プレゼンス「不在」、所在「帰宅」、連絡先「自無線端末１ａの電子メールアドレス」を登録する。なお、制御部１７が、Ｓ４５２において、更新前のプレゼンス情報を保持しておき、デフォルト設定されているプレゼンス情報の代わりに、更新前のプレゼンス情報で、プレゼンス情報記憶部１６に記憶されているプレゼンス情報を更新するようにしてもよい。
【０１０６】
つぎに、主制御部１７ａは、プレゼンス情報送受信部１３および無線ＬＡＮインターフェース部１１を介してプレゼンスサーバ２に、プレゼンス情報記憶部１６に記憶されているプレゼンス情報を、自無線端末１ａのユーザのユーザ名を含むユーザ情報とともに送信する（Ｓ４５８）。それから、主制御部１７ａは、マスタ端末１ａの監視を終了し（Ｓ４５９）、その後、本フロー（Ｓ４５）を終了する。
【０１０７】
また、主制御部１７ａは、スケジュール情報記憶部１５に追加したプレゼンス更新の参照レコード１５０のフィールド１５４に登録されている終了日時が到来したならば（Ｓ４６０でＹＥＳ）、プレゼンス情報記憶部１６に記憶されているプレゼンス情報を、デフォルト設定されているプレゼンス情報に更新する（Ｓ４６１）。例えば、現在時刻が勤務時間帯に属しているならば、プレゼンス情報記憶部１６のフィールド１６１〜１６３に、プレゼンス「在席」、所在「ユーザの勤務地」、連絡先「自無線端末１ａの電話番号」を登録する。あるいは、現在時刻が勤務時間帯に属していないならば、プレゼンス「不在」、所在「帰宅」、連絡先「自無線端末１ａの電子メールアドレス」を登録する。なお、制御部１７が、Ｓ４５２において、更新前のプレゼンス情報を保持しておき、デフォルト設定されているプレゼンス情報に代えて、更新前のプレゼンス情報で、プレゼンス情報記憶部１６に記憶されているプレゼンス情報を更新するようにしてもよい。
【０１０８】
つぎに、主制御部１７ａは、プレゼンス情報送受信部１３および無線ＬＡＮインターフェース部１１を介してプレゼンスサーバ２に、プレゼンス情報記憶部１６に記憶されているプレゼンス情報を、自無線端末１ａのユーザのユーザ名を含むユーザ情報とともに送信する（Ｓ４６２）。それから、主制御部１７ａは、マスタ端末１ａの監視を終了し（Ｓ４６３）、その後、本フロー（Ｓ４５）を終了する。
【０１０９】
以上、本発明の第二実施の形態を説明した。
【０１１０】
本実施の形態において、無線端末１ａは、自無線端末１ａに記憶されているユーザのスケジュール情報に含まれているイベント情報（プレゼンス更新の参照レコード１５０）に従い、自無線端末１ａのユーザのプレゼンス情報を更新した場合に、自無線端末１ａの近距離無線通信エリア８内に位置する他の無線端末１ａ各々に対してこのイベント情報を送信する。また、無線端末１ａは、自無線端末１ａの近距離無線通信エリア８内に位置する他の無線端末１ａからイベント情報を受信したならば、自無線端末１ａのユーザのスケジュール情報に、この他の無線端末１ａから受信したイベント情報を追加するとともに、この追加したイベント情報に従い自無線端末１ａのユーザのプレゼンス情報を更新する。さらに、無線端末１ａは、プレゼンスサーバ２に更新後のプレゼンス情報を送信する。
【０１１１】
したがって、本実施の形態によれば、いずれかの無線端末１ａが、スケジュール情報に記述されているイベント情報に従ってユーザのプレゼンス情報を更新すると、この無線端末１ａの近距離無線通信エリア８内に位置する他の無線端末１ａ各々のスケジュール情報にこのイベント情報が反映され、これにより近傍に位置する無線端末１ａ間におけるプレゼンス情報の同期が図られる。このため、専用の中継装置を設けなくても、また無線端末１ａにＧＰＳ機能が搭載されていなくても、プレゼンス情報を更新することが可能となる。また、プレゼンス情報が位置情報に依存していないので、同じ位置（部屋等）でも異なる行動をとり得るユーザのプレゼンスをより正確に把握することが可能となる。
【０１１２】
また、本実施の形態において、無線端末１ａは、自無線端末１ａの近距離無線通信エリア８内に位置する他の無線端末１ａからイベント情報を受信した場合に、この他の無線端末１ａのユーザの優先度あるいは受信したイベント情報が示すイベント内容の優先度が、自無線端末１ａのユーザの優先度あるいは自無線端末１ａのスケジュール情報に記述されている、開催期間が他の無線端末１ａから受信したイベント情報と少なくとも一部重複するベント情報が示すイベント内容の優先度より高いときに、他の無線端末１ａから受信したイベント情報を自無線端末１ａのスケジュール情報に反映させる。このため、本実施の形態によれば、近傍に位置する無線端末１ａ間おいて、プレゼンス情報を適切なものに同期させることが可能となる。
【０１１３】
また、本実施の形態において、無線端末１ａは、自無線端末１ａのスケジュール情報に、他の無線端末１ａから受信したイベン情報を追加した場合、この他の無線端末１ａ（マスタ端末）が自無線端末１ａの近距離無線通信エリア８内に位置しているか否かを監視し、マスタ端末１ａが自無線端末１ａの近距離無線通信エリア８から離脱したならば、自無線端末１ａのユーザのプレゼンス情報を、デフォルト設定されているプレゼンス情報、あるいは直前のプレゼンス情報に更新する。このため、本実施の形態によれば、自無線端末１ａのユーザのプレゼンス情報が、マスタ端末１ａのユーザと別行動となった後においても、マスタ端末１ａのユーザのプレゼンス情報のままとなってしまうのを防止することができる。
【０１１４】
なお、本発明は上記の各実施の形態に限定されるものではなく、その要旨の範囲内で数々の変形が可能である。
【０１１５】
例えば、上記の各実施の形態において、無線端末１、１ａは、自無線端末１、１ａが帰属している無線ＡＰ３が所定の無線ＡＰ３である場合（例えば、帰属中の無線ＡＰ３のＳＳＩＤが所定のＳＳＩＤである場合）、無線端末１、１ａの近距離無線通信エリア８内に位置する他の無線端末１、１ａから受信したプレゼンス情報、イベント情報に関わらず、自無線端末１、１ａのプレゼンス情報、スケジュール情報を更新しないようにしてもよい。このようにすることで、例えば、無線端末１、１ａが、ユーザの所属部署に設置されている無線ＡＰ３に帰属している場合など、ユーザ個人で作業を行うことが明らかな場合において、自無線端末１、１ａのプレゼンス情報が他の無線端末（例えば、隣席の同僚の無線端末）１、１ａのプレゼンス情報に同期してしまうのを防止することができる。
【０１１６】
また、上記の各実施の形態では、プレゼンスサーバ２として、いずれかのユーザのプレゼンス情報が更新される都度、このユーザのプレゼンス情報の通知先として予め登録されている無線端末１、１ａに、このユーザの最新のプレゼンス情報を通知する、いわゆるプッシュ型のプレゼンスサーバを例にとり説明したが、本発明はこれに限定されない。要求されたプレゼンス情報を要求元の無線端末１、１ａに通知する、いわゆるプル型のプレゼンスサーバであってもよい。
【０１１７】
また、上記の各実施の形態において、無線端末１、１ａの機能構成（図３参照）は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびモデム、ＮＩＣ（Ｎｅｔｗｏｒｋ  Ｉｎｔｅｒｆａｃｅ  Ｃａｒｄ）等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することにより実現されるものでもよい。
【符号の説明】
【０１１８】
１、１ａ、１−１〜１−３、１ａ−１〜１ａ−３：無線端末、  ２：プレゼンスサーバ、  ３：無線ＡＰ、  ４：ＧＷ、  ５：ＬＡＮ、  ６：ＷＡＮ、  ７：無線ＬＡＮの通信エリア、  ８−１〜８−３：無線端末の近距離無線通信エリア、１０：マンマシンインターフェース部、  １１：無線ＬＡＮインターフェース部、  １２：近距離無線インターフェース部、  １３：プレゼンス情報送受信部、  １４：プレゼンス情報送受信部、  １４ａ：イベント情報送受信部、  １５：スケジュール情報記憶部、  １６：プレゼンス情報記憶部、  １７、１７ａ：主制御部
【図１】
2014179804.tif 000003
【図２】
2014179804.tif 000004
【図３】
2014179804.tif 000005
【図４】
2014179804.tif 000006
【図５】
2014179804.tif 000007
【図６】
2014179804.tif 000008
【図７】
2014179804.tif 000009
【図８】
2014179804.tif 000010
【図９】
2014179804.tif 000011
【図１０】
2014179804.tif 000012
【図１１】
2014179804.tif 000013
【図１２】
2014179804.tif 000014